(57)【要約】【課題】  排泄物によって肌を汚すことのない使い捨てのおむつ。【解決手段】  使い捨てのおむつ１は透液性のトップシート３２の内面側に肌当て用シート片３２ｂを有する。肌当て用シート片３２ｂの前後方向Aには、排泄物をトップシート３２に向かって通過させる開口部３８，３９が形成され、開口部３８，３９の幅方向Bの両側それぞれにおけるシート片３２ｂの側部４０には、前後方向Aへ伸長状態で延びる弾性部材３７が取り付けられる。肌当て用シート片３２ｂの幅方向Bの外側には、防漏提５８が形成されていて、肌当て用シート片３２ｂの側部４０が防漏提５８に対して防漏提５８の基縁部と自由縁部との間において接合する。肌当て用シート片３２ｂは、前後方向Ａにおける中央部分では防漏堤５８に対して非接合状態にある【選択図】図３
2008229318.tif 000002
【特許請求の範囲】
【請求項１】
前後方向と幅方向とを有する股下域と、前記股下域の前方に形成された前胴周り域と、前記股下域の後方に形成された後胴周り域とを有し、前記股下域の内面側に設けられた透液性シートと外面側に設けられた不透液性シートとの間には体液吸収性芯材が介在し、前記内面側における前記透液性シートのさらに内面側には、排泄物を通過させることが可能な開口部が形成されていて前記前後方向へ延びる肌当て用のシート片が、前記前後方向の両端部分を前記前胴周り域と前記後胴周り域とに固定される一方、前記開口部の周辺が前記透液性シートから離間して前記開口部の周辺においての前記透液性シートと肌との接触を防ぐことが可能な使い捨てのおむつであって、
前記肌当て用のシート片は、前記開口部の前記幅方向における両側それぞれに前記前後方向へ延びる側部を有し、前記側部には前記開口部の側方を通って前記前後方向へ伸長状態で延びる少なくとも一条の弾性部材が取り付けられており、
前記股下域と前記前後胴周り域とにはまた、前記幅方向における前記肌当て用のシート片の外側に前記前後方向へ延びる防漏堤が形成されていて、前記防漏堤が前記前後方向へ固定された状態で延びる基縁部分と、前記基縁部分に並行して延びていて変形が自由な自由縁部分と、前記前後方向の両端部分それぞれを形成する前後固定端部分のそれぞれとを有し、前記自由縁部分には前記前後方向へ延びる弾性部材が伸長状態で取り付けられており、
前記肌当て用のシート片の前記側部が、前記前後方向における中央部分を除いて前記防漏堤に対して前記基縁部分と前記自由縁部分との間において接合していて、前記中央部分では前記防漏堤に対して非接合状態にあることを特徴とする前記おむつ。
【請求項２】
前記肌当て用のシート片には、前記前後方向において互いに離間するように前記開口部が二つ形成され、これら二つの開口部が前記おむつの前後方向における中央部分に位置する中間部分によって画成される請求項１記載のおむつ。
【発明の詳細な説明】
【技術分野】
【０００１】
この発明は、使い捨てのおむつに関する。
【背景技術】
【０００２】
従来、使い捨てのおむつにおいて、排泄物によっておむつ着用者の肌が汚れないようにするための構造は、特開２００２−１１０４４号公報（特許文献１）や特表平９−５１０３８５号公報（特許文献２）等によって公知である。
【０００３】
特開２００２−１１０４４号公報に開示のおむつはパンツ型のもので、吸収体を被覆している透液性トップシートの上方にスキンコンタクトシートを有する。このスキンコンタクトシートは、長手方向両端部がトップシートまたはバックシートに接合されていて、股下域に便を通過させるための開口部を有し、弾性部材がその開口部を囲むようにスキンコンタクトシートに伸長状態で取り付けられている。おむつを着用すると、スキンコンタクトシートがトップシートから浮き上がり、着用者の肌に接触可能になる。
【０００４】
特表平９−５１０３８５号公報に開示のおむつは開放型のもので、縦方向対称軸の両側に縦方向に長い可撓性フラップを有している。フラップのそれぞれは縦方向の側縁のうちの一方に沿って内側ケーシングシートに接続されており、また縦方向対称軸に向かっておむつの横方向へ広がる部分がおむつの股下域においてもう一方のフラップに接合している。ただし、フラップの縦方向の側縁どうしは、便排泄点の中心で最大６ｃｍ離間している。
【特許文献１】特開２００２−１１０４４号公報
【特許文献２】特表平９−５１０３８５号公報
【発明の開示】
【発明が解決しようとする課題】
【０００５】
特許文献１に開示のおむつは、スキンコンタクトシートによって、便等の排泄物が肌に触れることを防止できるのであるが、開口部を通過した排泄物がトップシートの上で横方向へ流れたときにおむつの脚周りから漏れることを防止するための積極的な手段を有していない。それゆえ、このおむつでは、排泄物によって脚周りの肌を汚すという問題が生じかねない。
【０００６】
特許文献２に開示のおむつは、縦方向対称軸の両側に設けられた可撓性フラップの側縁のうちの一方が内側透液性ケーシングシートに接続されているから、その透液性ケーシングシートの上で横方向へ流れる排泄物が脚周りから漏れることを防止できる。しかしながら、このおむつでは、フラップのもう一方の側縁どうしを股下域において接合しているから、おむつを着用したときに透液性シートから起立しておむつ着用者の脚周りに接触すべきそのフラップが透液性ケーシングシートに向かって倒伏してしまい、脚周りの肌との間に隙間が生じて排泄物が脚周りから漏れ易くなるという問題が生じかねない。また、その結果として、排泄物が脚周りの肌に触れるという問題も生じかねない。
【０００７】
この発明が課題とするところは、従来のおむつにおける前記諸問題の解消を可能にする使い捨てのおむつの提供にある。
【課題を解決するための手段】
【０００８】
前記課題を解決するために、この発明が対象とするのは、前後方向と幅方向とを有する股下域と、前記股下域の前方に形成された前胴周り域と、前記股下域の後方に形成された後胴周り域とを有し、前記股下域の内面側に設けられた透液性シートと外面側に設けられた不透液性シートとの間には体液吸収性芯材が介在し、前記内面側における前記透液性シートのさらに内面側には、排泄物を通過させることが可能な開口部が形成されていて前記前後方向へ延びる肌当て用のシート片が、前記前後方向の両端部分を前記前胴周り域と前記後胴周り域とに固定される一方、前記開口部の周辺が前記透液性シートから離間して前記開口部の周辺においての前記透液性シートと肌との接触を防ぐことが可能な使い捨てのおむつである。
【０００９】
かかる使い捨てのおむつにおいて、この発明が特徴とするところは、次のとおりである。前記肌当て用のシート片は、前記開口部の前記幅方向における両側それぞれに前記前後方向へ延びる側部を有し、前記側部には前記開口部の側方を通って前記前後方向へ伸長状態で延びる少なくとも一条の弾性部材が取り付けられている。前記股下域と前記前後胴周り域とにはまた、前記幅方向における前記肌当て用のシート片の外側に前記前後方向へ延びる防漏堤が形成されている。前記防漏堤が前記前後方向へ固定された状態で延びる基縁部分と、前記基縁部分に並行して延びていて変形が自由な自由縁部分と、前記前後方向の両端部分それぞれを形成する前後固定端部分のそれぞれとを有し、前記自由縁部分には前記前後方向へ延びる弾性部材が伸長状態で取り付けられている。前記肌当て用のシート片の前記側部が、前記前後方向における中央部分を除いて前記防漏堤に対して前記基縁部分と前記自由縁部分との間において接合していて、前記中央部分では前記防漏堤に対して非接合状態にある。
【００１０】
この発明の好ましい実施態様において、前記肌当て用のシート片には、前記前後方向において互いに離間するように前記開口部が二つ形成され、これら二つの開口部が前記おむつの前後方向における中央部分に位置する中間部分によって画成される。
【発明の効果】
【００１１】
この発明に係る使い捨てのおむつでは、それを着用するときに、肌当て用のシート片がその側部に取り付けられた弾性部材の収縮によって股下域における透液性シートから離間するように吊り上げられた状態になると、肌当て用のシート片は、その側部が防漏堤に接合しているので、防漏堤の起立を促進することができる。防漏堤が起立すれば、その自由縁部分は、おむつ着用者の脚周りへの接触が容易となり、脚周りからの排泄物の漏れを防ぐ能力が向上する。
肌当て用のシート片の側部が、おむつの前後方向における中央部分では肌当て用のシート片の側部が防漏堤に対して非接合状態にあるので、肌当て用のシートの上方への移動距離が規制されず、肌当て用のシートは着用者の動きに対して追従することができ、より着用者に密着させることができ脚周りからの排泄物の漏れをより一層防止することができる。
【００１２】
肌当て用のシート片に開口部が二つ形成され、おむつの前後方向における中央部分に位置する中間部分で二つの開口部が画成される態様のこの発明のおむつでは、肌当て用のシート片が股下域で着用者に接触し、開口部それぞれに、おむつ着用者の外性器と肛門とのそれぞれをのぞかせることができる。
【発明を実施するための最良の形態】
【００１３】
添付の図面を参照して、この発明に係る使い捨てのおむつの詳細を説明すると、以下のとおりである。
【００１４】
図１，２は、おむつ１の部分破断斜視図と、その斜視図のＩＩ−ＩＩ線断面図である。図１のおむつ１は、それが着用されたときの状態にあって、前後方向と幅方向と高さ方向とがＡ，Ｂ，Ｃで示されており、パンツ型に形成されている被覆部２と、被覆部２の内面側に形成されている体液吸収部３とを有する。被覆部２は、内面側被覆シート６と、外面側被覆シート７と、これらシート６，７間に介在する不透液性の防漏シート８とによって形成されていて、股下域１１と、股下域１１の前方に位置する前胴周り域１２と、股下域１１の後方に位置する後胴周り域１３とを有する。前後胴周り域１２，１３は、互いの側縁部１５，１６が合掌状に重なり合い、図１の高さ方向Ｃへ間欠的に並ぶ複数の部位１７において接合して胴周り開口１８を形成するとともに股下域１１と協働して一対の脚周り開口１９を形成している。胴周り開口１８と脚周り開口１９の周縁部では、複数条の胴周り弾性部材２１と脚周り弾性部材２２とが内面側被覆シート６と外面側被覆シート７との間にあって、これらシート６，７の少なくとも一方に伸長状態で接合している。
【００１５】
体液吸収部３は、股下域１１において前後方向Ａへ延びるように形成されているもので、吸液性パネル３３ａと肌当て用シート３３ｂとを含んでいる。吸液性パネル３３ａは吸水材３１ａをティシューペーパ３１ｂで包むことによって形成された体液吸収性芯材３１と、芯材３１の表面のうちの少なくとも着用者の肌と向かい合う表面を覆う透液性のトップシート３２とを含み、肌当て用シート３３ｂはトップシート３２よりもさらに内面側に設けられている。図２の前後方向Ａにおいて、肌当て用シート３３ｂは前端部分３４と後端部分３６とが前後胴周り域１２，１３においてトップシート３２に固定される一方、中間部分３５が股下域１１においてトップシート３２からその上方へ離間している。また、図２において、芯材３１は、股下域６の内面側に設けられたトップシート３２と股下域６の外面側に設けられた防漏シート８との間に介在していて、その防漏シート８によっておむつ１の外面側から被覆された状態にあり、芯材３１に吸収された体液はおむつ１から漏れることがない。
【００１６】
図３は、図１の部位１７における前後胴周り域１２，１３の接合を外し、おむつ１を前後方向Ａと幅方向Ｂとに展開して得られるおむつ１’の平面図であって、胴周り域弾性部材２１で総称される前後の胴周り弾性部材２１Ｆ，２１Ｒ、脚周り弾性部材２２によって総称される左右の脚周り弾性部材２２Ｌ，２２Ｒ、および肌当て用シート３３ｂに伸長状態で取り付けられていて股下域弾性部材３７によって総称される左右の股下域弾性部材３７Ｌ，３７Ｒが鎖線で示されている。なお、この発明においての左右とは、おむつ１の着用者にとっての左右を意味しており、おむつ１’は、幅方向Ｂの寸法を二等分する縦中心線Ｐ−Ｐと、前後方向Ａの寸法を二等分する横中心線Ｑ−Ｑとを有し、縦心線Ｐ−Ｐに関して左右対称である。
【００１７】
図３において、被覆部２は砂時計型に形成されており、体液吸収部３は矩形に形成されている。体液吸収部３における肌当て用シート３３ｂは、不織布やプラスチックフィルム等のシート片によって形成されていて、好ましくは不透液性であり、吸液性パネル３３ａの両側縁３３Ｌ，３３Ｒに沿って前後方向Ａへ延びる両側部４０Ｌ，４０Ｒを有し、これら両側部４０Ｌ，４０Ｒが中間部分３５によってつながれている。これら両側部４０Ｌ，４０Ｒと中間部分３５とは、股下域１１から前胴周り域１２に向かって延びるＵ字形の前方開口部３８を画成するとともに、股下域１１から後胴周り域１３に向かって延びるＵ字形の後方開口部３９を画成している。前方開口部３８は、側縁７１で総称される左右両側縁７１Ｌ，７１Ｒと、これら両側縁７１Ｌ，７１Ｒをつなぐ湾曲した底縁７２とを有する。また、後方開口部３９は、側縁７３で総称される左右両側縁７３Ｌ，７３Ｒと、これら両側縁７３Ｌ，７３Ｒをつなぐ湾曲した底縁７４とを有する。
【００１８】
肌当て用シート３３ｂの股下域弾性部材３７Ｌ，３７Ｒは、好ましくは各一条の糸ゴムで形成されていて、前方開口部３８と後方開口部３９それぞれの側方を通って前後方向Ａへ延びている。おむつ１の股下域１１が図１，２の如く前後方向Ａにおいて湾曲すると、これら弾性部材３７Ｌ、３７Ｒは前後方向Ａへ収縮して、肌当て用シート３３ｂの前後方向Ａの寸法を縮め、中間部分３５をトップシート３２からその上方へ離間させるように作用する（図２参照）。
【００１９】
体液吸収部３にはまた、防漏提５８が形成されている。防漏提５８は、肌当て用シート３３ｂの両側部４０Ｌ、４０Ｒのそれぞれに重なって前後方向Ａへ延びている一対の防漏堤５８Ｌ，５８Ｒの総称である。
【００２０】
図４は、おむつ１’の分解組立図である。外面側被覆シート７は不織布やプラスチックフィルムで形成されており、その内面（図における上面）には、胴周り弾性部材２１と脚周り弾性部材２２とがホットメルト接着剤（図示せず）を介して伸長状態で取り付けられる。その内面にはまた、不透液性のプラスチックフィルムで形成された防漏シート８が接着または溶着により接合される。外面側被覆シート７と防漏シート８との内面には、外面側被覆シート７と同形同大で不織布またはプラスチックフィルムで形成された内面側被覆シート６が接着または溶着により接合される。内面側被覆シート６の内面（図における上面）にはホットメルト接着剤（図示せず）を介して体液吸収部３における吸液性パネル３３ａの外面（図における下面）のほぼ全体が接合される。
【００２１】
図１のおむつ１を着用するときには、図３に示されている前方開口部３８に着用者の外性器がのぞき、後方開口部３９に肛門がのぞき、中間部分３５が外性器と肛門との間において肌に当接するように着用状態を整える。その着用状態を実現するうえにおいて、前方開口部３８における底縁７２は横中心線Ｑ−Ｑよりも前方に位置し、後方開口部３９における底縁７４は横中心線Ｑ−Ｑの上、または横中心線Ｑ−Ｑの付近に位置していることが好ましい。
【００２２】
この発明に係る使い捨てのおむつは、それが乳幼児用のものであるか大人用のものであるかによって、おむつの各部の寸法は大きく異なる。また、そのおむつが図示例のパンツ型のおむつ１であるか、それとも開放型のおむつであるかということによっても各部の寸法は大きく異なる。しかし、一般的には、おむつ１における縦中心線Ｐ−Ｐ上における中間部分３５の前後方向Ａの寸法Ｄ１（図３参照）は、２０〜７０ｍｍであることが好ましい。前方開口部３８と後方開口部３９の幅方向Ｂにおける最大寸法Ｄ３，Ｄ４（図３参照）は、５０〜４００ｍｍであることが好ましい。
【００２３】
図５〜８は、体液吸収部３の詳細を示す図であって、図５は、図４に示した体液吸収部３を拡大するとともに部分的に破断した状態で示しており、図６〜８は図５におけるＶＩ−ＶＩ線、ＶＩＩ−ＶＩＩ線、ＶＩＩＩ−ＶＩＩＩ線に沿う切断面を示している。なお、ＶＩＩＩ−ＶＩＩＩ線は、横中心線Ｑ−Ｑに一致している。
【００２４】
図５〜８において、体液吸収部３の吸液性パネル３３ａは、粉砕パルプや粉砕パルプと高吸収性ポリマー粒子との混合物等からなる吸水材３１ａの集合体とティシューペーパ３１ｂとで形成された芯材３１と、トップシート３２とを含んでいる。吸液性パネル３３ａに対しては、おむつ１’の縦中心線Ｐ−Ｐと横中心線Ｑ−Ｑも示されている。肌当て用シート３３ｂは、それを形成している不織布の図における下面に股下域弾性部材３７Ｌ，３７Ｒを縦中心線Ｐ−Ｐに関して対称となるようにホットメルト接着剤（図示せず）を使用して伸長状態で取り付けたものである。
【００２５】
股下域弾性部材３７Ｌは、前方開口部３８の側縁７１Ｌと後方開口部３９の側縁７３Ｌとに沿う第１，第２部分８１Ｌ，８２Ｌがほぼ直状に延びていて、中間部分３５において底縁７２と７４とに沿う第３部分８３Ｌが縦中心線Ｐ−Ｐに向かって凸となるように湾曲している。もう一方の股下域弾性部材３７Ｒは、前方開口部３８の側縁７１Ｒと後方開口部３９の側縁７３Ｒとに沿う第１，第２部分８１Ｒ，８２Ｒがほぼ直状に延びていて、中間部分３５において底縁７２と７４とに沿う第３部分８３Ｒが縦中心線Ｐ−Ｐに向かって凸となるように湾曲している。肌当て用シート３３ｂの幅方向Ｂにおいて、弾性部材３７Ｌと３７Ｒとは、中間部分３５で最も接近した状態にある。
【００２６】
肌当て用シート３３ｂの両側部４０Ｌ，４０Ｒそれぞれは、前後方向Ａにおいて、ホットメルト接着剤４９を介してトップシート３２に接合している前後端部分３４，３６と、両側部４０Ｌ，４０Ｒをつないで前後方向Ａに寸法Ｄ１（図４参照）を有する中間部分３５と、前端部分３４と中間部分３５との間にある前方域７８と、後端部分３６と中間部分３５との間にある後方域７９とを有する。
【００２７】
図５において、体液吸収部３に設けられる防漏堤５８Ｌ，５８Ｒは、不織布やプラスチックフィルム等のシート片をＺ字型または逆Ｚ字型に折り重ねることによって形成されていて、好ましくは不透液性である。防漏堤５８Ｌ，５８Ｒには前後方向Ａへ伸長状態で延びていて弾性部材６３で総称される弾性部材６３Ｌ，６３Ｒが含まれている。図６〜８には、その防漏堤５８のうちの逆Ｚ字型に折り重ねられた防漏堤５８Ｌが示されている。
【００２８】
体液吸収部３では、肌当て用シート３３ｂと防漏堤５８Ｌ，５８Ｒとが接着剤６１ｄによって接合されている。接着剤６１ｄは、肌当て用シート３３ｂの前方域７８と後方域７９との一部分に対して塗布されているが、中央部分３５とその付近には塗布されていない。
図６は肌当て用シート３３ｂの後端部分３６を横切るＶＩ−ＶＩ線端面図であり、図７は肌当て用シート３３ｂの後方域７９を横切るＶＩＩ−ＶＩＩ線端面図であり、図８は肌当て用シート３３ｂの中間部分３５を横切るＶＩＩＩ−ＶＩＩＩ線端面図である。
【００２９】
図６は、肌当て用シート３３ｂの後端部分３６を横切る切断面であるが、前端部分３４を横切りＶＩ−ＶＩ線に平行する切断面も、図６とほぼ同じ状態にある。図６において、後端部分３６は、その幅方向のほぼ全体がホットメルト接着剤４９を介してトップシート３２に接合している。防漏堤５８Ｌは、幅方向Ｂにおいて肌当て用シート３３ｂの外側に形成されているもので、その底辺５９ａがホットメルト接着剤６１ａを介して吸液性パネル３３ａの外面に接合し、中間辺５９ｂがホットメルト接着剤６１ｄを介して肌当て用シート３３ｂに接合している。防漏堤５８Ｌの中間辺５９ｂと頂辺５９ｃとはホットメルト接着剤６１ｅを介して接合している。また、図５において明らかなように、防漏堤５８Ｌの前後端部分５９ｄ、５９ｅにおける中間辺５９ｂが肌当て用シート３３ｂから前後方向Ａへ延出する部分において、ホットメルト接着剤６１ｄを介してトップシート３２に固定されている。
【００３０】
図７は、肌当て用シート３３ｂの後方域７９を通る切断面であるが、肌当て用シート３３ｂの前方域７８を通りＶＩＩ−ＶＩＩ線に平行する切断面も、図７とほぼ同じ状態にある。図７において、肌当て用シート３３ｂの後方域７９は、トップシート３２に接合しておらず、トップシート３２から離間可能な状態にある。防漏堤５８Ｌは、底辺５９ａのうちで、接着剤６１ａによって吸液性パネル３３ａに固定されていて前後方向Ａへ延びている部分を基縁部分とし、頂辺５９ｃのうちで、弾性部材６３Ｌが伸長状態で取り付けられていて基縁部分に並行している弾性的に変形自由な部分を自由縁部とするもので、肌当て用シート３３ｂは、これら基縁部分と自由縁部分との間において防漏堤５８に接合している。
【００３１】
図５の体液吸収部３を有するおむつ１が図１の状態になると、肌当て用シート３３ｂと防漏堤５８Ｌとは、それぞれの弾性部材３７Ｌ，６３Ｌが収縮して、図７の仮想線の状態になる。すなわち、図７の肌当て用シート３３ｂがトップシート３２から浮き上がるように離間して図の上方へ移動すると、肌当て用シート３３ｂによって防漏堤５８Ｌの中間辺５９ｂが起立するように引き上げられる。かかる防漏堤５８Ｌは、おむつ１を着用するときに容易に起立するものである。また、肌当て用シート３３ｂは、それに接合している中間辺５９ｂの幅方向Ｂにおける動きを拘束しており、防漏堤５８Ｌが幅方向Ｂにおいて股下域１１の外側へ、即ち図７の右側へ倒れることを防いでいる。その結果として、おむつ１では、幅方向Ｂへ流れる体液を受け容れ可能なポケット７５をトップシート３２と防漏堤５８Ｌとの間に確実に形成することができる。そのポケット７５は、幅方向Ｂの内側に向かって開口している。肌当て用シート３３ｂはさらに、それが肌に接触することによって、前方開口部３８や後方開口部３９の周辺における肌がトップシート３２上の排泄物によって汚れることを防ぐことができる。
【００３２】
図８は、肌当て用シート３３ｂの中間部分３５を通る切断面を示している。肌当て用シート３３ｂと防漏堤５８Ｌとが肌当て用シート３３ｂの中間部分３５において非接合状態にあり、その防漏堤５８Ｌは接着剤６１ａを介して吸液性パネル３３ａの外面に接合している。おむつ１が図１の状態にあるときには、図８の肌当て用シート３３ｂと防漏堤５８Ｌとが仮想線の状態となり、ポケット７５が形成される。このポケット７５は、前後方向Ａにおいて図７のポケット７５につながっている。
【００３３】
肌当て用シート３３ｂの中間部分３５は、吸液性パネル３３ａを横断するように延びていて、仮想線の状態になると、おむつ着用者の外性器と肛門との間における肌に容易に接触し、排泄物を吸収した吸液性パネル３３ａと肌との接触を防ぐことができる。図から明らかなように、肌当て用シート３３ｂは、中間部分３５においても、防漏堤５８Ｌの起立が容易となるように作用するとともに防漏堤５８Ｌが股下域１１の外側に向かって倒れることを防いでいる。なお、肌当て用シート３３ｂと防漏堤５８Ｌとの間のこのような関係は、防漏堤５８Ｌが、それに取り付けられている弾性部材６３Ｌの収縮によって起立するときに、肌当て用シート３３ｂをトップシート３２から離間させるように作用しているということもできる。
【００３４】
本態様の体液吸収部３を有するおむつ１において、肌当て用シート３３ｂと防漏堤５８Ｌとにおける弾性部材３７Ｌ，６３Ｌが収縮すると、肌当て用シート３３ｂと防漏堤５８Ｌのそれぞれが、肌当て用シート３３ｂの前方域７８と後方域７９とでは図７の場合と同様な挙動を示すが、図８に示す中間部分３５においては互いに独立して仮想線の如くに図の上方へ移動したり、起立したりする。したがって、肌当て用シート３３ｂの上方への移動距離、換言すると内面シート３２からの離間距離が、防漏堤５８Ｌによって小さく抑えられるということが生じ難くなる。例えば、起立した状態の防漏堤５８Ｌの高さが低いと、横中心線Ｑ−Ｑの付近でその防漏堤５８Ｌに接合している肌当て用シート３３ｂは、上方への移動距離が防漏堤５８Ｌによって拘束されるという問題を生じかねないが、体液吸収部３が図８の態様にあると、そうした問題が生じ難くなる。肌当て用シート３３ｂはその移動距離が拘束されないので、着用者の動きに追従することができ、股部への密着状態を維持することが容易である。
【図面の簡単な説明】
【００３５】
【図１】使い捨ておむつの部分破断斜視図。
【図２】図１のＩＩ−ＩＩ線断面図。
【図３】図１のおむつの展開図。
【図４】図３のおむつの分解組み立て図。
【図５】体液吸収部の拡大図。
【図６】図５のＶＩ−ＶＩ線切断面を示す図。
【図７】図５のＶＩＩ−ＶＩＩ線切断面を示す図。
【図８】図５のＶＩＩＩ−ＶＩＩＩ線切断線を示す図。
【符号の説明】
【００３６】
１    使い捨てのおむつ
８    不透液性シート（防漏シート）
１１    股下域
１２    前胴周り域
１３    後胴周り域
３１    芯材
３２    透液性シート（トップシート）
３３ｂ    肌当て用のシート片（肌当て用シート）
３７，３７Ｌ，３７Ｒ    弾性部材
３８    前方開口部
３９    後方開口
４０，４０Ｌ，４０Ｒ    側部
５８，５８Ｌ，５８Ｒ    防漏堤
５９ａ    基縁部分（底辺）
５９ｃ    自由縁部分（頂辺）
５９ｄ    固定端部分（前端部分）
５９ｅ    固定端部分（後端部分）
６３，６３Ｌ，６３Ｒ    弾性部材
Ａ    前後方向
Ｂ    幅方向
【図１】
2008229318.tif 000003
【図２】
2008229318.tif 000004
【図３】
2008229318.tif 000005
【図４】
2008229318.tif 000006
【図５】
2008229318.tif 000007
【図６】
2008229318.tif 000008
【図７】
2008229318.tif 000009
【図８】
2008229318.tif 000010